(57)【要約】【課題】製品コストが安く且つ製造が容易で、しかも部品の取付ミス等がほとんど生じないノイズフィルタを提供する。【解決手段】ノイズフィルタ１は、コモンモードチョークコイル部２と第１のコンデンサ部５と第２及び第３のコンデンサ部６，７とで構成されている。コモンモードチョークコイル部２は、第１及び第２巻線４−１，４−２がコア３に巻回され、天板３５がこのコア３に取り付けられた閉磁路構造を成す。第１のコンデンサ部５は、鍔３１に形成された第１電極５１，５２で構成され、第１及び第２巻線４−１，４−２の一方の両端部に接続されている。また、第２及び第３のコンデンサ部６，７は、鍔３２に形成された第２及び第３電極６１，７１と接地電極６７とで構成され、第１及び第２巻線４−１，４−２の他方の両端部に直列に接続され、接地電極６７を通じて接地することができるようになっている。【選択図】図１
2007142931.tif 000002
【特許請求の範囲】
【請求項１】
コアの巻芯に巻回された第１及び第２巻線を有するコモンモードチョークコイル部と、上記第１及び第２巻線の一方端部間に接続された第１のコンデンサ部と、当該第１及び第２巻線の他方端部間に直列に接続され且つ互いの接続部位において接地可能な第２及び第３のコンデンサ部とを具備したノイズフィルタであって、
互いに対向する１対の第１電極を、一方の鍔の表面に形成すると共に、当該１対の第１電極を上記第１及び第２巻線の一方端部にそれぞれ接続することにより、上記第１のコンデンサ部を構成し、
互いに対向する第２電極及び接地電極を、他方の鍔の表面に形成すると共に、当該第２電極を、上記第１巻線の他方端部に接続することにより、上記第２のコンデンサ部を構成し、
上記接地電極と互いに対向する第３電極を、上記他方の鍔の表面に形成すると共に、当該第３電極を、上記第２巻線の他方端部に接続することにより、上記第３のコンデンサ部を構成した、
ことを特徴とするノイズフィルタ。
【請求項２】
請求項１に記載のノイズフィルタにおいて、
天板を、上記巻芯の両端部に設けられた１対の上記鍔の上端に架け、
上記第２及び第３のコンデンサ部を構成する第２及び第３電極と接地電極とを、上記天板の表面まで延出させて、これら第２及び第３電極と接地電極とにおける対向辺の長さを稼ぐ、
ことを特徴とするノイズフィルタ。
【請求項３】
請求項１又は請求項２に記載のノイズフィルタにおいて、
上記第２及び第３電極と接地電極における各対向辺を折曲線状又は曲線状に形成して、対向辺の長さを稼ぐ、
ことを特徴とするノイズフィルタ。
【請求項４】
コアの巻芯に巻回された第１及び第２巻線を有するコモンモードチョークコイル部と、上記第１及び第２巻線の一方端部間に接続された第１のコンデンサ部と、当該第１及び第２巻線の他方端部間に直列に接続され且つ互いの接続部位において接地可能な第２及び第３のコンデンサ部とを具備したノイズフィルタであって、
互いに対向する１対の第１電極を、一方の鍔の表面に形成すると共に、当該１対の第１電極を上記第１及び第２巻線の一方端部にそれぞれ接続することにより、上記第１のコンデンサ部を構成し、
互いに対向する第２及び第３電極を、別体の誘電体基板の表面に形成すると共に、接地電極を、他方の鍔の表面又は当該誘電体基板の裏面のいずれかに形成して、当該誘電体基板を上記コアに取り付け、上記第１及び第２巻線の他方端部を、当該第２及び第３電極にそれぞれ接続することで、上記第２電極と接地電極とにより、上記第２のコンデンサ部を構成すると共に、上記第３電極と接地電極とにより、上記第３のコンデンサ部を構成する、
ことを特徴とするノイズフィルタ。
【請求項５】
請求項４に記載のノイズフィルタにおいて、
上記接地電極を、上記他方の鍔の表面に形成して、上記誘電体基板の裏面を当該鍔の表面に接着した、
ことを特徴とするノイズフィルタ。
【請求項６】
請求項４に記載のノイズフィルタにおいて、
上記接地電極を、上記誘電体基板の裏面に形成して、当該誘電体基板を、上記巻芯の両端部に設けられた１対の上記鍔の下端に架けて取り付けた、
ことを特徴とするノイズフィルタ。
【発明の詳細な説明】
【技術分野】
【０００１】
この発明は、電源供給線路で生じたノーマルモードノイズやコモンモードノイズを除去するためのノイズフィルタに関するものである。
【背景技術】
【０００２】
従来、この種のノイズフィルタとして、例えば特許文献１に開示の技術がある。
このノイズフィルタは、台座と、トロイダル型のノイズフィルタと、２つのチップ型のＣｘコンデンサと、１対のチップ型のＣｙコンデンサとより構成されており、コモンモードノイズをノイズフィルタと１対のＣｙコンデンサとによって除去し、ノーマルモードノイズを２つのＣｘコンデンサで除去することができる。
【０００３】
【特許文献１】特開平１０−０４１１６５号公報
【発明の開示】
【発明が解決しようとする課題】
【０００４】
しかし、上記した従来のノイズフィルタでは、次のような問題がある。
台座とノイズフィルタと２つのチップ型のＣｘコンデンサと１対のチップ型のＣｙコンデンサとで構成されるため、部品点数が多く、その分製品コストが高く付く。
また、ノイズフィルタの上に取り付けられる台座が複雑な形状及び構造を呈しており、このため、製品製造に煩雑な作業と多くの手間を必要とする。
さらに、製造時に、２つのチップ型のＣｘコンデンサと、１対のチップ型のＣｙコンデンサとを別々に台座に取り付けるため、コンデンサの取付ミスが生じ易い。
【０００５】
この発明は、上述した課題を解決するためになされたもので、製品コストが安く且つ製造が容易で、しかも部品の取付ミス等がほとんど生じないノイズフィルタを提供することを目的とする。
【課題を解決するための手段】
【０００６】
上記課題を解決するために、請求項１の発明は、コアの巻芯に巻回された第１及び第２巻線を有するコモンモードチョークコイル部と、第１及び第２巻線の一方端部間に接続された第１のコンデンサ部と、第１及び第２巻線の他方端部間に直列に接続され且つ互いの接続部位において接地可能な第２及び第３のコンデンサ部とを具備したノイズフィルタであって、互いに対向する１対の第１電極を、一方の鍔の表面に形成すると共に、１対の第１電極を第１及び第２巻線の一方端部にそれぞれ接続することにより、第１のコンデンサ部を構成し、互いに対向する第２電極及び接地電極を、他方の鍔の表面に形成すると共に、第２電極を、第１巻線の他方端部に接続することにより、第２のコンデンサ部を構成し、接地電極と互いに対向する第３電極を、他方の鍔の表面に形成すると共に、第３電極を、第２巻線の他方端部に接続することにより、第３のコンデンサ部を構成した。
かかる構成により、ノイズフィルタの第１巻線の両端部を、電源供給線路の一方の線路に接続し、第２巻線の両端部を他方の線路に接続することができる。これにより、１対の電源電圧が第１及び第２巻線を介して電源供給線路を伝わる。
そして、ノーマルモードノイズが一方の線路に侵入すると、ノイズフィルタの第１のコンデンサ部によって除去される。すなわち、第１巻線側に侵入したノーマルモードノイズは、一方の鍔の表面に形成された第１電極から第２電極を通じて第２巻線側の線路に流出する。
また、コモンモードノイズが、双方の線路に侵入すると、ノイズフィルタのコモンモードチョークコイル部によって除去されると共に、第２及び第３のコンデンサ部によって、確実に除去される。例えば、双方の線路からコモンモードチョークコイル部の第１及び第２巻線に侵入したコモンモードノイズは、コモンモードチョークコイル部のインダクタ機能によって除去されると共に、一方の線路上のコモンモードノイズが第２のコンデンサ部によって除去され、他方の線路上のコモンモードノイズが第３のコンデンサ部によって除去れる。すなわち、一方の線路に侵入したコモンモードノイズは、他方の鍔に形成された第２電極から接地電極を通じて外部に流出し、他方の線路に侵入したコモンモードノイズは、他方の鍔に形成された第３電極から接地電極を通じて外部に流出する。
【０００７】
請求項２の発明は、請求項１に記載のノイズフィルタにおいて、天板を、巻芯の両端部に設けられた１対の鍔の上端に架け、第２及び第３のコンデンサ部を構成する第２及び第３電極と接地電極とを、天板の表面まで延出させて、これら第２及び第３電極と接地電極とにおける対向辺の長さを稼ぐ構成とした。
【０００８】
請求項３の発明は、請求項１又は請求項２に記載のノイズフィルタにおいて、第２及び第３電極と接地電極における各対向辺を折曲線状又は曲線状に形成して、対向辺の長さを稼ぐ構成とした。
【０００９】
請求項４の発明は、コアの巻芯に巻回された第１及び第２巻線を有するコモンモードチョークコイル部と、第１及び第２巻線の一方端部間に接続された第１のコンデンサ部と、第１及び第２巻線の他方端部間に直列に接続され且つ互いの接続部位において接地可能な第２及び第３のコンデンサ部とを具備したノイズフィルタであって、互いに対向する１対の第１電極を、一方の鍔の表面に形成すると共に、１対の第１電極を第１及び第２巻線の一方端部にそれぞれ接続することにより、第１のコンデンサ部を構成し、互いに対向する第２及び第３電極を、別体の誘電体基板の表面に形成すると共に、接地電極を、他方の鍔の表面又は誘電体基板の裏面のいずれかに形成して、誘電体基板をコアに取り付け、第１及び第２巻線の他方端部を、第２及び第３電極にそれぞれ接続することで、第２電極と接地電極とにより、第２のコンデンサ部を構成すると共に、第３電極と接地電極とにより、第３のコンデンサ部を構成する。
かかる構成により、ノイズフィルタを、例えば電源供給線路に接続すると、ノーマルモードノイズが第１のコンデンサ部によって除去され、コモンモードノイズが第２及び第３のコンデンサ部によって除去される。すなわち、一方の線路に侵入したコモンモードノイズは、誘電体基板の表面に形成されている第２電極から他方の鍔の表面又は誘電体基板の裏面のいずれかに形成されている接地電極を通じて、外部に流出する。また、他方の線路に侵入したコモンモードノイズは、誘電体基板の表面に形成されている第３電極から他方の鍔の表面又は誘電体基板の裏面のいずれかに形成されている接地電極を通じて、外部に流出する
【００１０】
請求項５の発明は、請求項４に記載のノイズフィルタにおいて、接地電極を、他方の鍔の表面に形成して、誘電体基板の裏面を鍔の表面に接着した構成とする。
【００１１】
請求項６の発明は、請求項４に記載のノイズフィルタにおいて、接地電極を、誘電体基板の裏面に形成して、誘電体基板を、巻芯の両端部に設けられた１対の鍔の下端に架けて取り付けた構成とする。
【発明の効果】
【００１２】
以上詳しく説明したように、請求項１ないし請求項３の発明に係るノイズフィルタによれば、コモンモードチョークコイル部と第１ないし第３のコンデンサ部という少数の部品で構成されているので、その分製品コストの低廉化を図ることができるという優れた効果がある。しかも、コモンモードチョークコイル部を、第１及び第２巻線をコアの巻芯に巻回することで構成し、第１のコンデンサ部を、１対の第１電極をコアの一方の鍔に形成することで構成し、第２及び第３のコンデンサ部を、第２及び第３電極と接地電極とを他方の鍔に形成することで構成したので、ノイズフィルタの構造が、上記した従来のノイズフィルタに比べて極めて単純である。このため、製造上の繁雑な作業や手間を省くことができると共に製品の小型化を図ることができるいう効果もある。さらに、第１ないし第３のコンデンサ部を鍔に形成し、コモンモードチョークコイル部とこれら第１ないし第３のコンデンサ部とを一つの部品に一体化させたので、従来のノイズフィルタのようなコンデンサの取付ミスという事態は生じない。この結果、コンデンサ取付ミスによる除去効果の劣化という事態を完全に防止することができる。
【００１３】
特に、請求項２の発明によれば、第２及び第３のコンデンサ部を構成する第２及び第３電極と接地電極とを、天板の表面まで延出させて、これら第２及び第３電極と接地電極とにおける対向辺の長さを稼ぐ構成であるので、第２及び第３のコンデンサ部の容量を大きくすることができる。この結果、より低周波のコモンモードノイズを効果的に除去することができる。
【００１４】
また、請求項３の発明によれば、第２及び第３電極と接地電極における各対向辺を折曲線状又は曲線状に形成して、対向辺の長さを稼ぐ構成であるので、低周波のコモンモードノイズ除去効果を高めることができるだけでなく、大容量の第２及び第３のコンデンサ部を小面積の領域に形成することができるという効果がある。
【００１５】
請求項４ないし請求項６の発明に係るノイズフィルタによれば、第２及び第３電極と接地電極との間に誘電体基板を介在させることで、第２及び第３のコンデンサ部を構成したので、第２及び第３電極と接地電極との対向辺の長さを大きくすることなく、容量を大きくすることができる。この結果、小型で大容量のコンデンサ部を備えたノイズフィルタを提供することができるという優れた効果がある。
【発明を実施するための最良の形態】
【００１６】
以下、この発明の最良の形態について図面を参照して説明する。
【実施例１】
【００１７】
図１は、この発明の第１実施例に係るノイズフィルタを前方より示す斜視図であり、図２は、ノイズフィルタを後方より示す斜視図であり、図３は、ノイズフィルタの側面図であり、図４は、ノイズフィルタの裏面図である。
【００１８】
図１及び図２に示すように、この実施例のノイズフィルタ１は、コモンモードチョークコイル部２と第１のコンデンサ部５と第２及び第３のコンデンサ部６，７とで構成されている。
【００１９】
コモンモードチョークコイル部２は、高周波のコモンモードノイズを除去するための部分であり、第１及び第２巻線４−１，４−２を磁性体のコア３に巻回し、磁性体の天板３５をこのコア３に取り付けて閉磁路構造にしたもので、一般の巻線型コモンモードチョークコイルとほぼ同構造である。
すなわち、図３に示すように、コア３を、巻芯３０とこの巻芯３０の両端部に設けられた１対の鍔３１，３２とで構成した。そして、第１及び第２巻線４−１，４−２を、このコア３の巻芯３０に巻回し、図４に示すように、第１巻線４−１の両端部４−１ａ，４−１ｂを、鍔３１，３２の下面にそれぞれ形成した外部電極５１ａ，６１ａに接続し、第２巻線４−２の両端部４−２ａ，４−２ｂを、鍔３１，３２の下面にそれぞれ形成した外部電極５２ａ，７１ａに接続した。さらに、矩形状の天板３５を鍔３１，３２の上端（図３の上方の端面）に架けて取り付けた。
【００２０】
図１において、第１のコンデンサ部５は、ノーマルモードノイズを除去するための部分であり、一方の鍔３１の表面に形成された１対の第１電極５１，５２で構成されている。
図５は、第１のコンデンサ部５を示すノイズフィルタの前面図である。
図５に示すように、第１のコンデンサ部５は、同形矩形状の第１電極５１，５２を互いに対向させ、一定のギャップＧ１を形成することで構成する。また、第１電極５１，５２の下端を、図４に示した外部電極５１ａ，５２ａにそれぞれ連続させている。この結果、図４に示すように、第１電極５１が、第１巻線４−１の端部４−１ａに接続し、第１電極５２が、第２巻線４−２の端部４−２ａに接続して、第１のコンデンサ部５が第１及び第２巻線４−１，４−２の一方端部４−１ａ，４−２ａ間に接続された状態になる。
【００２１】
図２において、第２及び第３のコンデンサ部６，７は、コモンモードノイズを除去するための部分であり、他方の鍔３２の表面に形成された第２及び第３電極６１，７１と接地電極６７とで構成されている。
図６は、第２及び第３のコンデンサ部６，７を示すノイズフィルタの後面図である。
図６に示すように、第２のコンデンサ部６は、同形矩形状の第２電極６１と接地電極６７とを互いに対向させ、一定のギャップＧ２を形成することで構成する。また、第３のコンデンサ部７も、同形矩形状の第３電極７１と接地電極６７とを互いに対向させ、一定のギャップＧ２を形成することで構成する。そして、第２電極６１，接地電極６７，第３電極７１の下端を、図４に示した外部電極６１ａ，６７ａ，７１ａにそれぞれ連続させている。この結果、図４に示すように、第２電極６１が、第１巻線４−１の端部４−１ｂに接続し、第３電極７１が、第２巻線４−２の端部４−２ｂに接続して、第２及び第３のコンデンサ部６，７が、第１及び第２巻線４−１，４−２の他方端部４−１ｂ，４−２ｂ間に直列に接続され且つ接地電極６７を通じて接地可能な状態となる。
【００２２】
図７は、ノイズフィルタ１の等価回路図である。
ノイズフィルタ１の上記構造を等価回路で示すと、図７に示すような回路になる。
すなわち、コモンモードチョークコイル部２の第１巻線４−１の両端部４−１ａ，４−１ｂが外部電極５１ａ，６１ａに接続され、第２巻線４−２の両端部４−２ａ，４−２ｂが外部電極５２ａ，７１ａに接続されている。そして、第１のコンデンサ部５が第１及び第２巻線４−１，４−２の一方端部４−１ａ，４−２ａに接続され、第２及び第３のコンデンサ部６，７が第１及び第２巻線４−１，４−２の他方端部４−１ｂ，４−２ｂに直列に接続された回路構造になっている。
【００２３】
次に、この実施例のノイズフィルタ１が示す作用及び効果について説明する。
図８は、ノイズフィルタ１を電源供給線路に実装する例を示す斜視図であり、図９は、ノイズフィルタ１を電源供給線路に実装した場合の等価回路図である。
図８及び図９に示すように、ノイズフィルタ１を電源供給線路１０１，１０２に実装するには、ノイズフィルタ１を、電源供給線路１０１，１０２に設けられている実装用のランド１０１ａ，１０１ｂ、１０２ａ，１０２ｂに半田付等で固定する。
例えば、外部電極５１ａ，５２ａ（図４参照）を電源供給線路１０１，１０２のランド１０１ａ，１０２ａに半田付け固定し、外部電極６１ａ，７１ａを電源供給線路１０１，１０２のランド１０１ｂ，１０２ｂに半田付け固定すると共に、接地用の外部電極６７ａを図示しないシャーシ等にアースされている接地用ランド１０３ｂに半田付け固定する。
【００２４】
かかる状態で、電源電流Ｉ+を電源供給線路１０１に流すと、ノイズフィルタ１を通過して所定のＩＣやコネクタ等に電源を供給し、ノイズフィルタ１を通過して電流Ｉ-が戻ってくる。
【００２５】
また、ノーマルモードノイズＮ１が、例えば電源供給線路１０１側に侵入すると、このノーマルモードノイズＮ１は、矢印で示すように、第１のコンデンサ部５によって電源供給線路１０２側に除去される。
そして、コモンモードノイズＮ２，Ｎ２が、電源供給線路１０１，１０２に侵入すると、ノイズフィルタ１のコモンモードチョークコイル部２の第１及び第２巻線４−１，４−２のインダクタ機能によって除去されると共に、第２及び第３のコンデンサ部６，７によって、確実に除去される。具体的には、電源供給線路１０１側のコモンモードノイズＮ２は、第２のコンデンサ部６を構成する第２電極６１から接地電極６７を通じて図示しないシャーシ側に流出され、電源供給線路１０２側のコモンモードノイズＮ２は、第３のコンデンサ部７を構成する第３電極７１から接地電極６７を通じてシャーシ側に流出される。
【００２６】
ところで、この実施例のノイズフィルタ１では、第１ないし第３のコンデンサ部５〜７を鍔３１，３２に形成し、コモンモードチョークコイル部２とこれら第１ないし第３のコンデンサ部５〜７とを一つの部品に一体化させているので、従来のノイズフィルタのようなコンデンサの取付ミスという事態は生じない。
ここで、コンデンサ取付ミスによる除去効果の相違について説明する。
図１０は、ノイズレベルと周波数の関係を示す線図であり、図１１は、ノーマルモードノイズ除去用の第１のコンデンサ部５の取付位置を間違えたノイズフィルタの等価回路図である。
図１０において、曲線Ｓ１が、コンデンサ部が適正に取り付けられているこの実施例のノイズフィルタ１が示すノイズレベルと周波数との相関関係である。
曲線Ｓ１で明らかなように、この実施例のノイズフィルタ１では、ノイズレベルが広い周波数範囲に亘って低く抑えることができる。
これに対して、図１１に示すように、第１のコンデンサ部５の取付位置をミスし、コモンモードチョークコイル部２の反対側に取り付けてしまった場合には、曲線Ｓ２で示すように、ノイズレベルが、５０ＭＨｚ周辺の周波数帯域を除いて、全体的に高くなってしまう。
したがって、この実施例のノイズフィルタ１では、このような第１のコンデンサ部５の取り付けミスという事態は生じないので、曲線Ｓ２で示すようなノイズ除去効果の劣化を完全に防止することができる。
【実施例２】
【００２７】
次に、この発明の第２実施例について説明する。
図１２は、この発明の第２実施例に係るノイズフィルタを後方より示す斜視図である。
この実施例は、第２及び第３のコンデンサ部６，７の長さが上記第１実施例と異なる。
すなわち、図１２に示すように、第２及び第３のコンデンサ部６，７を構成する第２及び第３電極６１，７１と接地電極６７とを、長さ方向に延出させる。具体的には、第２及び第３電極６１，７１と接地電極６７とを、天板３５の表面一杯まで延出させる。
これにより、第２電極６１と接地電極６７との対向辺６１ｂ，６７ｂの長さや、接地電極６７と第３電極７１との対向辺６７ｃ，７１ｂの長さを、上記第１実施例のものよりも大きく設定して、第２のコンデンサ部６と第３のコンデンサ部７との容量を稼ぐことができる。
【００２８】
第２及び第３のコンデンサ部６，７の容量を大きくすることで、高周波のコモンモードノイズＮ２，Ｎ２だけでなく、低周波のコモンモードノイズをも効果的に除去することができる。
その他の構成、作用及び効果は、上記第１実施例と同様であるので、その記載は省略する。
【実施例３】
【００２９】
次に、この発明の第３実施例について説明する。
図１３は、この発明の第３実施例に係るノイズフィルタを後方より示す斜視図である。
この実施例は、第２及び第３のコンデンサ部６，７の形状が上記第１及び第２実施例と異なる。
すなわち、図１３に示すように、第２及び第３のコンデンサ部６，７を構成する第２電極６１と接地電極６７との対向辺６１ｂ，６７ｂや、接地電極６７と第３電極７１との対向辺６７ｃ，７１ｂを折曲線状に設定した。具体的には、接地電極６７を十字状に形成すると共に、第２及び第３電極６１，７１の形状を接地電極６７の形状に合致した形状に設定した。
これにより、第２電極６１と接地電極６７との対向辺６１ｂ，６７ｂの長さや、接地電極６７と第３電極７１との対向辺６７ｃ，７１ｂの長さを、大きく設定して、第２のコンデンサ部６と第３のコンデンサ部７との容量を稼ぐことができるだけでなく、かかる大容量の第２及び第３のコンデンサ部６，７を小面積の鍔３２表面に形成することができる。
その他の構成、作用及び効果は、上記第１及び第２実施例と同様であるので、その記載は省略する。
【実施例４】
【００３０】
次に、この発明の第４実施例について説明する。
図１４は、この発明の第４実施例に係るノイズフィルタを後方より示す分解斜視図であり、図１５は、この実施例の要部を示す分解斜視図である。
この実施例は、第２及び第３のコンデンサ部６，７の構造が上記第１ないし第３実施例と異なる。
すなわち、図１４及び図１５に示すように、接地電極６７だけをコア３の鍔３２の表面に形成し、第２電極６１と第３電極７１は、別体の誘電体基板８の表面に形成した。
具体的には、互いに対向する第２及び第３電極６１，７１を、誘電体基板８の表面の両側一杯に形成し、接地電極６７を、鍔３２の表面のほぼ全体に形成して、この誘電体基板８の裏面を鍔３２の表面に接着した。
そして、図１４に示すように、第１及び第２巻線４−１，４−２の両端部４−１ｂ，４−２ｂを、誘電体基板８表面の第２及び第３電極６１，７１にそれぞれ接続した。
これにより、第２のコンデンサ部６が、誘電体基板８を挟んだ第２電極６１と接地電極６７とで構成され、第３のコンデンサ部７が、誘電体基板８を挟んだ第３電極７１と接地電極６７とで構成される。
【００３１】
かかる構成により、第２及び第３電極６１，７１や接地電極６７との対向辺の長さを大きくすることなく、容量を大きくすることができるので、小型で大容量の第２及び第３のコンデンサ部６，７を備えたノイズフィルタ１を提供することができる。
その他の構成、作用及び効果は、上記第１ないし第３実施例と同様であるので、その記載は省略する。
【実施例５】
【００３２】
次に、この発明の第５実施例について説明する。
図１６は、この発明の第５実施例に係るノイズフィルタを後方より示す斜視図であり、図１７は、この実施例の要部である誘電体基板８′の表側を示す斜視図であり、図１８は、誘電体基板８′の裏側を示す斜視図である。
この実施例は、第２及び第３のコンデンサ部６，７の構成を全て誘電体基板８′に組み込んだ点が上記第４実施例と異なる。
すなわち、図１６に示すように、第２及び第３のコンデンサ部６，７の構成を備えた誘電体基板８′を、巻芯３０両端の１対の鍔３１，３２の下端に架けて取り付けた。
具体的には、図１７に示すように、コ字状の第２及び第３電極６１，７１を、中心軸Ｌに線対称の状態で、誘電体基板８′の表面に形成した。また、図１８に示すように、外部電極６１ａ，７１ａが、第２及び第３電極６１，７１とそれぞれ連続するように、誘電体基板８′の裏面隅部に形成され、図１７に示すように、第１電極５１，５２に接続される外部電極５１ａ，５２ａが誘電体基板８′の隅部にそれぞれ形成されている。そして、図１８に示すように、矩形状の接地電極６７が、この誘電体基板８′の裏面の大半部に形成されている。
【００３３】
これにより、第２のコンデンサ部６が、誘電体基板８′を挟んだ第２電極６１と接地電極６７とで構成され、第３のコンデンサ部７が、誘電体基板８′を挟んだ第３電極７１と接地電極６７とで構成される。そして、外部電極５１ａ，５２ａ及び外部電極６１ａ，７１ａが誘電体基板８′の裏面四隅に配設されることとなる。
その他の構成、作用及び効果は、上記第４実施例と同様であるので、その記載は省略する。
【００３４】
なお、この発明は、上記実施例に限定されるものではなく、発明の要旨の範囲内において種々の変形や変更が可能である。
例えば、上記第１，第３〜第５実施例では、天板３５を有したノイズフィルタを例示したが、上記第１，第３〜第５実施例に対応する構成であって、天板３５だけを除いたノイズフィルタもこの発明の範囲に含まれることは勿論である。
【図面の簡単な説明】
【００３５】
【図１】この発明の第１実施例に係るノイズフィルタを前方より示す斜視図である。
【図２】ノイズフィルタを後方より示す斜視図である。
【図３】ノイズフィルタの側面図である。
【図４】ノイズフィルタの裏面図である。
【図５】第１のコンデンサ部を示すノイズフィルタの前面図である。
【図６】第２及び第３のコンデンサ部を示すノイズフィルタの後面図である。
【図７】ノイズフィルタの等価回路図である。
【図８】ノイズフィルタを電源供給線路に実装する例を示す斜視図である。
【図９】ノイズフィルタを電源供給線路に実装した場合の等価回路図である。
【図１０】ノイズレベルと周波数の関係を示す線図である。
【図１１】ノーマルモードノイズ除去用の第１のコンデンサ部の取付位置を間違えたノイズフィルタの等価回路図である。
【図１２】この発明の第２実施例に係るノイズフィルタを後方より示す斜視図である。
【図１３】この発明の第３実施例に係るノイズフィルタを後方より示す斜視図である。
【図１４】この発明の第４実施例に係るノイズフィルタを後方より示す分解斜視図である。
【図１５】この実施例の要部を示す分解斜視図である。
【図１６】この発明の第５実施例に係るノイズフィルタを後方より示す斜視図である。
【図１７】第５実施例の要部である誘電体基板の表側を示す斜視図である。
【図１８】誘電体基板の裏側を示す斜視図である。
【符号の説明】
【００３６】
１…ノイズフィルタ、  ２…コモンモードチョークコイル部、  ３…コア、  ４−１…第１巻線、  ４−２…第２巻線、  ５…第１のコンデンサ部、  ６…第２のコンデンサ部、  ７…第３のコンデンサ部、  ８，８′…誘電体基板、  ３０…巻芯、  ３１，３２…鍔、  ３５…天板、  ５１，５２…第１電極、  ５１ａ，５２ａ，６１ａ，６７ａ，７１ａ…外部電極、  ６１…第２電極、  ６１ｂ，６７ｂ，６７ｃ，７１ｂ…対向辺、  ６７…接地電極、  ７１…第３電極。
【図１】
2007142931.tif 000003
【図２】
2007142931.tif 000004
【図３】
2007142931.tif 000005
【図４】
2007142931.tif 000006
【図５】
2007142931.tif 000007
【図６】
2007142931.tif 000008
【図７】
2007142931.tif 000009
【図８】
2007142931.tif 000010
【図９】
2007142931.tif 000011
【図１０】
2007142931.tif 000012
【図１１】
2007142931.tif 000013
【図１２】
2007142931.tif 000014
【図１３】
2007142931.tif 000015
【図１４】
2007142931.tif 000016
【図１５】
2007142931.tif 000017
【図１６】
2007142931.tif 000018
【図１７】
2007142931.tif 000019
【図１８】
2007142931.tif 000020